(57)【要約】【課題】構成の単純な画像表示媒体、および前記画像表示媒体に画像を書き込むことのできる画像書込み装置の提供。【解決手段】表示領域１１と、表示領域１１の全体に亘って列方向に設けられた一群の列電極４２と、表示領域の全体に亘って行方向に設けられた２ｎ本の行電極４３と、外部から電圧が供給される受電端子１２と、駆動信号を外部から受けるとともに、受電端子１２で受電した電圧を前記駆動信号に基づいて列電極４２に選択的に印加するマイクロアクチュエータ３０と、受電端子１２で受電した電圧を行電極４３に印加するｎ対の圧力バー１８とを備え、圧力バー１８は、１対の圧力バー１８の一方がｏｎのときは他方がｏｆｆになるように構成され、外部からのスキャニング信号に基づいて圧力バー１８を駆動することにより、行電極４３を順次選択して表示領域１１を列方向に沿ってスキャニングする画像表示媒体、および前記画像表示媒体に画像を書き込むための画像書込み装置。【選択図】図２
2008083522.tif 000002
【特許請求の範囲】
【請求項１】
電気的作用によって表示状態が変化する表示領域と、
表示領域の全体に亘って前記表示領域の列方向に沿って設けられた一群の列電極と、
表示領域の全体に亘って前記表示領域の行方向に沿って設けられ、前記列電極とともに前記表示領域において画素を形成する２ｎ本の行電極と、
外部から電圧が供給される受電端子と、
駆動信号を外部から受けるとともに、前記受電端子で受電した電圧を前記駆動信号に基づいて前記列電極に選択的に印加する電極選択手段と、
前記受電端子で受電した電圧を前記行電極に印加するｎ対のスイッチ列と
を備え、
前記スイッチ列は、１対のスイッチ列の一方がｏｎのときは他方がｏｆｆになるように構成され、外部からのスキャニング信号に基づいて駆動されることにより、前記行電極を順次選択して前記表示領域を列方向に沿ってスキャニングすることを特徴とする画像表示媒体。
【請求項２】
電気的作用によって表示状態が変化する表示領域と、
表示領域の全体に亘って前記表示領域の列方向に沿って設けられた２ｎ本の列電極と、
表示領域の全体に亘って前記表示領域の行方向に沿って設けられ、前記列電極とともに前記表示領域において画素を形成する一群の行電極と、
外部から電圧が供給される受電端子と、
駆動信号を外部から受けるとともに、前記受電端子で受電した電圧を前記駆動信号に基づいて前記行電極に選択的に印加する電極選択手段と、
前記受電端子で受電した電圧を前記列電極に印加するｎ対のスイッチ列と
を備え、
前記スイッチ列は、１対のスイッチ列の一方がｏｎのときは他方がｏｆｆになるように構成され、外部からのスキャニング信号に基づいて駆動されることにより、前記列電極を順次選択して前記表示領域を行方向に沿ってスキャニングすることを特徴とする画像表示媒体。
【請求項３】
各スイッチ列は、各行電極または列電極について１個づつ、計２ｎ個設けられた圧力スイッチ素子と、前記圧力スイッチ素子のうちの２ｎ−１個を加圧してｏｎとする圧力バーとを備えるとともに、隣接する２本の圧力バーのうちの一方がｏｎのときと他方がｏｎのときとで異なる圧力スイッチ素子がｏｎとなるように構成されてなる請求項１または２に記載の画像表示媒体。
【請求項４】
前記スイッチ列は、各行電極または列電極について１個づつ、計２ｎ個設けられた光スイッチ素子と、２ｎ−１個の光スイッチ素子に信号光を伝達して前記光スイッチをｏｎとする光導波路とを備えるとともに、隣接する２本の光導波路の一方に光振動を伝達したときと他方に光信号を伝達したときとで異なる光スイッチ素子がｏｎとなるように構成されてなる請求項１または２に記載の画像表示媒体。
【請求項５】
請求項１〜４に記載の画像記録媒体に装着されるとともに、前記画像記録媒体の有する受電端子に接続される給電端子と、電極選択手段に駆動信号を入力する駆動信号入力手段と、前記スイッチ列を駆動するスキャニング信号を入力するスキャニング信号入力手段とを備えることを特徴とする画像書込み装置。
【発明の詳細な説明】
【技術分野】
【０００１】
本発明は、画像表示媒体および画像書込み装置に関し、特に画素数が増大してもスイッチ数が大幅に増加することのない画像表示媒体、および前記画像表示媒体に画像を書き込むための画像書込み装置に関する。
【背景技術】
【０００２】
複数の画素からなるメモリ性を有する表示部と、外部から電圧が供給される入力端子と、外部からの光、熱、磁界、または圧力による駆動信号を受け、前記入力端子に供給された前記電圧を、前記駆動信号に基づいて前記複数の画素に選択的に印加する選択部とを備える画像表示媒体が提案されている（特許文献１）。
【特許文献１】特開２００５−３５２４６１号公報
【発明の開示】
【発明が解決しようとする課題】
【０００３】
しかしながら、前記画像表示媒体においては、画素の数が多くなると、選択部に駆動ＩＣを設け、前記駆動ＩＣにおいて、外部からの駆動信号に基づいて電圧を印加すべき画素を選択し、選択された画素に、前記入力端子に供給された前記電圧を印加するようにする必要があった。
【０００４】
そのため、画像表示媒体上に駆動ＩＣを搭載する必要があったので、画素の多い画像表示媒体においては、画像表示媒体の構成を簡略化してコストを下げるという特許文献１に記載の発明の目的が充分に達成されないという問題点があった。
【０００５】
本発明は、上記問題を解決すべく成されたものであり、画素の多い場合においても駆動ＩＣを搭載する必要が無く、構成の単純な画像表示媒体、および前記画像表示媒体に画像を書き込むための画像書込み装置を提供することを目的とする。
【課題を解決するための手段】
【０００６】
請求項１に記載の発明は、電気的作用によって表示状態が変化する表示領域と、表示領域の全体に亘って前記表示領域の列方向に沿って設けられた一群の列電極と、表示領域の全体に亘って前記表示領域の行方向に沿って設けられ、前記列電極とともに前記表示領域において画素を形成する２ｎ本の行電極と、外部から電圧が供給される受電端子と、駆動信号を外部から受けるとともに、前記受電端子で受電した電圧を前記駆動信号に基づいて前記列電極に選択的に印加する電極選択手段と、前記受電端子で受電した電圧を前記行電極に印加するｎ対のスイッチ列とを備え、前記スイッチ列は、１対のスイッチ列の一方がｏｎのときは他方がｏｆｆになるように構成され、外部からのスキャニング信号に基づいて駆動されることにより、前記行電極を順次選択して前記表示領域を列方向に沿ってスキャニングすることを特徴とする画像表示媒体に関する。
【０００７】
請求項２に記載の発明は、電気的作用によって表示状態が変化する表示領域と、表示領域の全体に亘って前記表示領域の列方向に沿って設けられた２ｎ本の列電極と、表示領域の全体に亘って前記表示領域の行方向に沿って設けられ、前記列電極とともに前記表示領域において画素を形成する一群の行電極と、外部から電圧が供給される受電端子と、駆動信号を外部から受けるとともに、前記受電端子で受電した電圧を前記駆動信号に基づいて前記行電極に選択的に印加する電極選択手段と、前記受電端子で受電した電圧を列電極に印加するｎ対のスイッチ列とを備え、前記スイッチ列は、１対のスイッチ列の一方がｏｎのときは他方がｏｆｆになるように構成され、外部からのスキャニング信号に基づいて駆動されることにより、前記列電極を順次選択して前記表示領域を行方向に沿ってスキャニングすることを特徴とする画像表示媒体に関する。
【０００８】
請求項３に記載の発明は、各スイッチ列が、各行電極または列電極について１個づつ、計２ｎ個設けられた圧力スイッチ素子と、前記圧力スイッチ素子のうちの２ｎ−１個を加圧してｏｎとする圧力バーとを備えるとともに、隣接する２本の圧力バーのうちの一方がｏｎのときと他方がｏｎのときとで異なる圧力スイッチ素子がｏｎとなるように構成されてなる請求項１または２に記載の画像表示媒体に関する。
【０００９】
請求項４に記載の発明は、各スイッチ列が、各行電極または列電極について１個づつ、計２ｎ個設けられた光スイッチ素子と、２ｎ−１個の光スイッチ素子に信号光を伝達して前記光スイッチをｏｎとする光導波路とを備えるとともに、隣接する２本の光導波路の一方に光振動を伝達したときと他方に信号光を伝達したときとで異なる光スイッチ素子がｏｎとなるように構成されてなる請求項１または２に記載の画像表示媒体に関する。
【００１０】
請求項５に記載の発明は、請求項１〜４に記載の画像記録媒体に装着されるとともに、前記画像記録媒体の有する受電端子に接続される給電端子と、電極選択手段に駆動信号を入力する駆動信号入力手段と、前記スイッチ列を駆動するスキャニング信号を入力するスキャニング信号入力手段とを備えることを特徴とする画像書込み装置に関する。
【発明の効果】
【００１１】
請求項１および請求項２の発明においては、１対のスイッチ列の一方がｏｎのときは他方がｏｆｆになるように構成されたスイッチ列の対がｎ対設けられている。したがって、２ｎ本の行電極または列電極から１本を選択可能である。
【００１２】
したがって、スイッチ列を駆動することにより、行電極または列電極を表示領域の端縁部から順次選択できるから、表示領域を列方向または行方向に沿ってスキャニングできる。
【００１３】
上記発明においては、表示電極をスキャニングするためのスイッチは、ｎ対、即ち２ｎ個のスイッチ列だけであるから、各行電極または列電極と給電電極との間に設けられた２ｎ個のスイッチを直接ｏｎ／ｏｆｆする場合に比較してｏｎ／ｏｆｆすべきスイッチの数が大幅に少なくて済む。
【００１４】
請求項３に記載の発明においては、圧力バーを機械的に駆動してスキャニングしているから、画像表示媒体の表面に塵や汚れが付着しても画像が書き込めなくなることがない。
【００１５】
請求項４に記載の発明においては、光学的スイッチによってスキャニングをしているから、機械的スイッチとは異なり、磨耗する部分がない。したがって、極めて寿命が長い。
【００１６】
請求項５に記載の発明に係る画像書込み装置を本発明の画像表示媒体に装着することにより、前記画像表示媒体に画像が書き込むことができる。
【発明を実施するための最良の形態】
【００１７】
１．実施形態１
【００１８】
本発明に係る画像表示媒体の一例である電子ペーパ１０は、図１〜図３に示すように、メモリ性を有する表示領域１１と、表示領域１１の全体に亘って表示領域１１の列方向に沿って設けられた１６本の列電極４２０〜４２９、４２ａ〜４２ｆ（以下、総称して「列電極４２」と称することがある。）と、表示領域１１の全体に亘って表示領域１１の行方向に沿って設けられた１６本の行電極４３０〜４３９、４３ａ〜４３ｆ（以下、総称して「行電極４３」と称することがある。）と、外部から供給された電圧を列電極４２０〜４２９、４２ａ〜４２ｆに印加するコモン配線１３と、外部から供給された電圧を行電極４３０〜４３９、４３ａ〜４３ｆに印加するコモン配線１４とを有する。
【００１９】
図２に示すように、コモン配線１３およびコモン配線１４の一端には、受電電極１２が設けられている。
【００２０】
列電極４２と行電極４３との間には液晶層等の表示層（図示せず。）が配設されて表示領域１１が形成される。なお、表示層は電気的作用によって表示状態が変化する材料、あるいは構造であればよく、コレステリック液晶やエレクトロクロミック材料や、電気泳動方式、帯電粒子（トナーあるいは電気粉流体）移動方式などが挙げられる。表示層としては、電気的作用を除去した後も表示層が表示した画像を保持する所謂電子ペーパとして利用されるものが好ましい。列電極４２および行電極４３の何れもＩＴＯのような透明導電性材料で形成されている。列電極４２および行電極４３に電圧を印加すると、液晶層における電圧を印加した列電極４２と行電極４３とが交差する部分の液晶の配向が変化し、光の透過性または反射性が変化して画像が表示される。また、列電極４２と行電極４３とで区画される区画の夫々に電界効果トランジスタ３を形成し、列電極４２および行電極４３に電圧を印加して電界効果トランジスタをｏｎまたはｏｆｆして液晶の配列を変化させるようにしてもよい。
【００２１】
コモン配線１３と列電極４２０〜４２９、４２ａ〜４２ｆとは個別配線３１０〜３１９，３１ａ〜３１ｆ（以下、「個別配線３１」と総称することがある。）によって接続されている。そして、コモン配線１４と行電極４３０〜４３９、４３ａ〜４３ｆとは、個別配線３２０〜３２９、３２ａ〜３２ｆ（以下、「個別配線３２」と総称することがある。）によって接続されている。
【００２２】
個別配線３１０〜３１９，３１ａ〜３１ｆ上には、圧力を加えるとｏｎになり、圧力を除くとｏｆｆになる圧力スイッチであるメンブレンスイッチ１６が設けられている。個別配線３２０〜３２９、３２ａ〜３２ｆ上には、メンブレンスイッチ１６と同様のメンブレンスイッチ１７が４個づつ設けられている。個別配線３２０〜３２９、３２ａ〜３２ｆ上の４個のメンブレンスイッチ１７は、図２および図５に示すように、左側から右側に向かって夫々ｂｉｔ０、ｂｉｔ１、ｂｉｔ２、ｂｉｔ３に対応する。以下、ｂｉｔ０、ｂｉｔ１、ｂｉｔ２、ｂｉｔ３に対応するメンブレンスイッチ１７を夫々メンブレンスイッチ１７０、メンブレンスイッチ１７１、メンブレンスイッチ１７２、メンブレンスイッチ１７３と称することがある。
【００２３】
図２および図４に示すように、メンブレンスイッチ１７を押圧する１対の圧力バー１８が個別配線３２０〜３２９、３２ａ〜３２ｆに直交する方向に沿って電子ペーパ１０を間に挟むように設けられている。圧力バー１８とメンブレンスイッチ１７とにより、本発明におけるスイッチ列が形成される。
【００２４】
圧力バー１８は、一端においてヒンジ部１９によって互いに結合されている。圧力バー１８は、図４において実線に示すようにヒンジ部１９によって互いに離間するように付勢される。そして、同図において二点鎖線で示すように、メンブレンスイッチ１７に対向する側の圧力バー１８は、他端において後述するマイクロアクチュエータ２９によって電子ペーパ１０に向かって押圧されることにより、メンブレンスイッチ１７を押圧してｏｎにする。
【００２５】
圧力バー１８は、図２および図５に示すように２本づつ４組に分けられている。そして、メンブレンスイッチ１７と同様に、圧力バー１８の各対も、左側から右側に向かって夫々ｂｉｔ０、ｂｉｔ１、ｂｉｔ２、ｂｉｔ３に対応する。以下、圧力バー１８の対のうち、ｂｉｔ０、ｂｉｔ１、ｂｉｔ２、ｂｉｔ３に対応するものを夫々圧力バー対１８０、圧力バー対１８１、圧力バー対１８２、圧力バー対１８３と称することがある。圧力バー対１８０、圧力バー対１８１、圧力バー対１８２、圧力バー対１８３を構成する圧力バー１８のうち、図２および図５における左側に位置するものは各ｂｉｔにおける「０」に対応し、右側に位置するものは各ｂｉｔにおける「１」に対応する。したがって、メンブレンスイッチ１７のうち各圧力バー対における左側の圧力バー１８の下方に位置するものも「０」に、右側の圧力バー１８の下方に位置するものも「１」に対応する。
【００２６】
図２および図５において上方から下方に向かうメンブレンスイッチ１７の並びは、ｂｉｔ０においては０１１００１１００１１００１１０であり、ｂｉｔ１においては００１１１１００００１１１１００である。そして、ｂｉｔ２においては００００１１１１１１１１００００であり、ｂｉｔ３においては００００００００１１１１１１１１である。このように本実施形態ではメンブレンスイッチ１７はグレイカウンターを形成するように、言い換えれば、隣接する２本の個別配線３２同士では１ビットのみメンブレンスイッチ１７の配置が異なり、残りの３ビットにおいてはメンブレンスイッチ１７の配置が同一になるように配列されている。
【００２７】
なお、メンブレンスイッチ１７は、図２および図５に示すような並びで配列する代わりに、図６に示すようにバイナリーカウンタを形成するような並びで配列してもよい。即ちｂｉｔ０においては、図６において上方から下方に向かって０１０１０１０１０１０１０１０１であり、ｂｉｔ１では００１１００１１００１１００１１であり、ｂｉｔ２においては００００１１１１００００１１１１であり、ｂｉｔ３においては００００００００１１１１１１１１である。
【００２８】
電子ペーパ１０に画像を書き込むときは、電子ペーパ１０に画像書込み装置２０を装着する。画像書込み装置２０は、図１に示すように板状の上部本体２１Ａと同じく板状の下部本体２１Ｂと、上部本体２１Ａと下部本体２１Ｂとはヒンジ２１Ｃによって回転可能に連結されている。
【００２９】
上部本体２１Ａの外側の面には、タイトルなどを表示する液晶表示器２２と、電源を０ｎ／ｏｆｆする電源ボタン２３と、書き込もうとする画像を上方向にスクロールするｕｐキー２４と、書き込もうとする画像を下方向にスクロールするｄｏｗｎキー２５と、電子ペーパ１０への画像書き込みを開始させるプリントキー２６と、確認などの指示を入力するｅｎｔｅｒキー２７とが設けられている。
【００３０】
上部本体２１Ａの内側の面には、図３に示すように受電電極１２に電力を供給する給電電極２８と、圧力バー１８を押圧駆動する８個のマイクロアクチュエータ２９と、メンブレンスイッチ１６を押圧駆動する１６個のマイクロアクチュエータ３０とが設けられている。
【００３１】
画像書込み装置２０は、図１および図２に示すように、マイクロアクチュエータ２９が対応する圧力バー１８の上方に位置し、マイクロアクチュエータ３０が対応するメンブレンスイッチ１６の上方に位置するように、しかも上部本体２１Ａと下部本体２１Ｂとで電子ペーパ１０を挟持するように装着される。
【００３２】
以下、電子ペーパ１０の作用について説明する。
【００３３】
電子ペーパ１０に画像書込み装置２０を装着してプリントキー２６を押すと、図７においてステップＳ２に示すようにスキャンアドレスが初期化モードとなり、圧力バー対１８０、１８１、１８２、１８３は何れも左側に位置する「０」と右側に位置する「１」の双方の圧力バー１８が押圧される。したがって行電極４３０〜４３９、４３ａ〜４３ｆの全てがコモン配線１４と接続される。同時にアクチュエータ３０を全て動作させて全ての面ブレンスイッチ１６を押圧してｏｎとする。これにより、列電極４２０〜４２９、４２ａ〜４２ｆの全てがコモン配線１３と接続される。行電極４３と列電極４２との間に印加したリセット波形電圧は、マトリクス全域の電極交点にある画素を構成する液晶層全てに印加され、リセット波形電圧により、前記液晶層の液晶配列が変化して前記画素が明転する。その結果、表示領域１１に形成されていた画像が消去される。
【００３４】
表示領域１１の画像が消去されたら、図７においてステップＳ４に示すように、ロウスキャンアドレスセッティングが行われ、圧力バー対１８０、１８１、１８２、１８３は何れも左側に位置する「０」の圧力バー１８が押圧され、右側に位置する「１」の圧力バー１８が開放される。したがって、ｏｎとなるメンブレンスイッチ１７の図２、図５、図６における左方から右方に向かう並びは（００００）であるから、これに対応する最も上方の行電極４３０がコモン配線１４と接続される。
【００３５】
次に、圧力バー対１８０において「０」に対応する圧力バー１８がｏｆｆとされ、代わりに右側に位置する「１」の圧力バー１８がｏｎとされる。そして圧力バー対１８１、１８２、１８３においては「０」の圧力バー１８がｏｎの状態に保持される。したがって、ｏｎとなるメンブレンスイッチ１７の左方から右方に向かう並びは（１０００）になるから、図２、図５、図６に示すように上から２番目に位置する行電極４３１がコモン配線１４と接続される。
【００３６】
行電極４３１がコモン配線１４と接続されたら、図２および図５に示す例では、圧力バー対１８１において「０」の圧力バー１８がｏｆｆになり、「１」の圧力バー１８がｏｎになる。一方、図６に示す例では、圧力バー対１８０において「０」の圧力バー１８が再びｏｎになり、「１」の圧力バー１８がｏｆｆとなり、同時に圧力バー対１８１において「０」の圧力バー１８がｏｆｆになり、「１」の圧力バー１８がｏｎになる。したがって、ｏｎとなるメンブレンスイッチ１７の左方から右方に向かう並びは、図２および図５の例では（１１００）になり、図６の例では（０１００）になる。したがって、上から３番目の行電極４３２がコモン配線１４と接続される。
【００３７】
行電極４３２がコモン配線１４に接続されたら、図２および図５に示す例では、圧力バー対１８０において「０」の圧力バー１８が再びｏｎになり、「１」の圧力バー１８がｏｆｆになる。一方、図６に示す例では、圧力バー対１８０において「０」の圧力バー１８が再びｏｆｆになり、「１」の圧力バー１８がｏｎとなり、同時に圧力バー対１８１において「０」の圧力バー１８がｏｎになる。したがって、ｏｎとなるメンブレンスイッチ１７の左方から右方に向かう並びは、図２および図５の例では（０１００）になり、図６の例では（１１００）になる。したがって、上から４番目の行電極４３３がコモン配線１４と接続される。
【００３８】
このように、圧力バー対１８０、１８１、１８２、１８３において左側の圧力バー１８と右側の圧力バー１８との何れをｏｎにするかの選択が行われることにより、行電極４３は上方に位置するものから順次コモン配線１４に接続される。このようにして表示領域１１は、上から下に向かって、換言すれば列方向に沿ってスキャニングされる。
【００３９】
表示領域１１を換言すれば列方向に沿ってスキャニングすると同時に、図７に示すステップＳ６において、ある画素の列方向の位置データであるカラムデータが画像書込み装置２０に入力されると、前記カラムデータで示される列方向の位置に対応するマイクロアクチュエータ３０が動作してメンブレンスイッチ１６が押圧され、前記列方向の位置に対応する１または２以上の列電極４２がコモン配線１３と接続される。前記コモン配線１４に接続された行電極４３とコモン配線１３に接続された列電極４２との交点に位置する画素を構成する液晶層においては、前記行電極４３と前記列電極４２との間に形成された電場によって液晶の配列が変化して前記画素が暗転する。
【００４０】
図２、図５、および図６における最下段の行電極４３ｆがコモン配線１４に接続されたら、図７におけるステップＳ１０で表示領域１１のスキャニングを完了すべきか否か判定する。そして、スキャニングを完了すべしと判定されたら、画像の書き込みを終了する。一方、更に新たな画像が書き込まれるときは、ステップＳ１０でＮｏの判定さなされ、ステップＳ４に戻って表示領域１１のスキャニングが繰り返される。
【００４１】
実施形態１に係る電子ペーパ１０は、表示領域１１における画素の数が多い場合においても駆動ＩＣを搭載する必要が無いから、安価に構成できる。
【００４２】
また、圧力により駆動されるので、電子ペーパ１０の表面に塵や汚れが付着していても画像の書き込みには何らに支障もない。
【００４３】
更に、行電極４３については、メンブレンスイッチ１７をマイクロアクチュエータ２９で直接駆動するのではなく、８個のメンブレンスイッチ１７を圧力バー１８で一度に駆動し、マイクロアクチュエータ２９は圧力バー１８を駆動する。したがって、メンブレンスイッチ１７をマイクロアクチュエータ２９で直接駆動する場合に比較して必要なマイクロアクチュエータの数を半数以下に減少させることができる。
【００４４】
なお、実施形態１においては、画素が行×列＝１６×１６＝２５６個の例について述べたが、実際の電子ペーパにおいては、画素数は行×列＝１０２４×７６８であるから、圧力バー１８は２０本（１０対）あり、列電極４２を選択するメンブレンスイッチ１６は７６８個ある。したがって、必要なマイクロアクチュエータの数は２０＋７６８＝７８８個である。したがって、全ての行と列とに設けたメンブレンスイッチを直接にマイクロアクチュエータで操作する場合のマイクロアクチュエータの数である１０２４＋７６８＝１７９２個に比較して半数以下のマイクロアクチュエータで済む。
【００４５】
加えて、図２および図５に示す例においては、メンブレンスイッチ１７がグレイカウンターを形成するように配列されているから、隣接する２本の個別配線３２においては、１ビットのみメンブレンスイッチ１７の配置が異なっている。したがって、一の行電極から１本下方の他の行電極４３に切り替える際のスイッチング回数は１回でよいから、表示領域１１をスキャニングするときのスイッチング回数を大幅に減少させることができる。したがって、スイッチ列としてメンブレンスイッチ１７と圧力バー１８との組合せのような機械的スイッチを用いる場合には、寿命が延長できる故に特に好ましい。
【００４６】
なお、実施形態１ではメンブレンスイッチのような機械的スイッチを用いてスキャニングを行う例について述べたが、電子ペーパ１０においてはメンブレンスイッチ１７の代わりに受光素子を、圧力バー１８の代わりに光ファイバを配置し、画像書込み装置２０においてはマイクロアクチュエータ２９の代わりにＬＥＤを配設して行電極４３を光学的にスキャニングしてもよい。
【００４７】
また、個別配線３１上にメンブレンスイッチ１７を４個づつ設け、４組の圧力バー１８によって行電極４３の代わりに列電極４２を順次選択して表示領域を行方向に沿ってスキャニングしてもよい。
【図面の簡単な説明】
【００４８】
【図１】図１は、実施形態１に係る電子ペーパに画像書込み装置を装着したところを示す斜視図である。
【図２】図２は、実施形態１に係る電子ペーパにおける行電極、列電極、個別配線、メンブレンスイッチ、および圧力バーなどの配置を示す平面図である。
【図３】図３は、画像書込み装置における電子ペーパに当接する側の面の構成を示す平面図である。
【図４】図４は、実施形態１の電子ペーパにおける圧力バーの作用を示す概略図である。
【図５】図５は、実施形態１の電子ペーパにおける行電極の個別配線上に設けられた４個のメンブレンスイッチと前記メンブレンスイッチを０ｎ／ｏｆｆする圧力バーとの位置関係の一例を示す概略平面図である。
【図６】図６は、実施形態１の電子ペーパにおける行電極の個別配線上に設けられた４個のメンブレンスイッチと前記メンブレンスイッチを０ｎ／ｏｆｆする圧力バーとの位置関係の別の例を示す概略平面図である。
【図７】図７は、実施形態１の電子ペーパの表示領域を列方向にスキャニングしながら画像を書き込む手順を示すフローチャートである。
【符号の説明】
【００４９】
１０      電子ペーパ
１１      表示領域
１２      受電電極
１３      コモン配線
１４      コモン配線
１６      メンブレンスイッチ
１７      メンブレンスイッチ
１８      圧力バー
１９      ヒンジ部
２０      書込み装置
２１Ａ    上部本体
２１Ｂ    下部本体
２１Ｃ    ヒンジ
２２      液晶表示器
２３      電源ボタン
２４      ｕｐキー
２５      ｄｏｗｎキー
２６      プリントキー
２７      ｅｎｔｅｒキー
２８      給電電極
２９      マイクロアクチュエータ
３０      マイクロアクチュエータ
３１      個別配線
３２      個別配線
４２      列電極
４３      行電極
１８０      圧力スイッチ対
１８１      圧力スイッチ対
１８２      圧力スイッチ対
１８３      圧力スイッチ対
【図１】
2008083522.tif 000003
【図２】
2008083522.tif 000004
【図３】
2008083522.tif 000005
【図４】
2008083522.tif 000006
【図５】
2008083522.tif 000007
【図６】
2008083522.tif 000008
【図７】
2008083522.tif 000009